(57)【要約】【課題】適度な水分保持能力を有し、様々な場所において容易に植栽が可能な植栽マットユニットを提供する【解決手段】植栽マットユニット１を表面側の土壌保持層１０、土壌保持層１０よりも背面側に位置する土壌流出防止層２０および水分保持層３０を有する層状のマットから構成する。土壌保持層１０は、第１プラスチック繊維を３次元に絡み合わせて構成し、土壌流出防止層２０は、第１プラスチック繊維よりも細い第２プラスチック繊維を３次元に絡み合わせることで、土壌保持層１０よりも肉薄に構成し、水分保持層３０は、水分を含有可能な不織布によって構成する。土壌保持層１０中には土壌を充填する。【選択図】図１
0003150666.tif 000002
【実用新案登録請求の範囲】
【請求項１】
表面側の土壌保持層、前記土壌保持層よりも背面側に位置する土壌流出防止層および水分保持層を有する層状のマットを成し、
前記土壌保持層は、第１プラスチック繊維を３次元に絡み合わせて構成されており、
前記土壌流出防止層は、前記第１プラスチック繊維よりも細い第２プラスチック繊維を３次元に絡み合わせることで、前記土壌保持層よりも肉薄に構成されており、
前記水分保持層は、水分を含有可能な不織布によって構成されており、
前記土壌保持層中に土壌が充填されることを特徴とする、植栽マットユニット。
【請求項２】
前記土壌保持層には、植物を植えるための凹部又は孔部が形成されていることを特徴とする、
請求項１に記載の植栽マットユニット。
【請求項３】
前記土壌保持層及び前記土壌流出防止層は、接着又は溶着によって結合されていることを特徴とする、
請求項１又は２に記載の植栽マットユニット。
【請求項４】
前記水分保持層はフェルトマットであることを特徴とする、
請求項１、２又は３に記載の植栽マットユニット。
【請求項５】
前記第１プラスチック繊維の太さは１５００〜３０００デニールであり、前記第２プラスチック繊維の太さは１０〜４０デニールであることを特徴とする、
請求項１乃至４のいずれかに記載の植栽マットユニット。
【請求項６】
前記第１プラスチック繊維の太さは７８０〜８２０デニールであることを特徴とする、
請求項１乃至４のいずれかに記載の植栽マットユニット。
【請求項７】
前記第１プラスチック繊維は、ポリエステル樹脂とＳＢＲ樹脂の混合樹脂により構成されていることを特徴とする、
請求項６に記載の植栽マットユニット。
【請求項８】
前記水分保持層は、係止片によって、前記土壌保持層または前記土壌流出防止層に結合されることを特徴とする、
請求項１乃至７のいずれかに記載の植栽マットユニット。
【請求項９】
前記土壌保持層の表面側に地被植物の層をさらに設けたことを特徴とする、
請求項１乃至８のいずれかに記載の植栽マットユニット。
【請求項１０】
前記地被植物は、芝生であることを特徴とする、
請求項９に記載の植栽マットユニット。
【考案の詳細な説明】
【技術分野】
【０００１】
本考案は、樹木等の植物を栽培するための植栽マットユニットに関する。
【背景技術】
【０００２】
樹木等は、通常、鉢などに土とともに植栽される。しかし、鉢植えは、それ自体は大きく、且つ重量もあるので、手軽にできない。
【０００３】
そこで近年、層状のマットで植物を生育させる植栽マットユニットが提案されている（特許文献１参照）。この植栽マットユニットは、高デニールの太さとなるプラスチック繊維を３次元に絡ませて構成した表面層と、低デニールの太さとなるプラスチック繊維を絡ませた底面層から構成されている。表面層には、ピートモスなどの軽量の土が充填・保持されており、植物の根が張るための空間となる。一方、底面層は、栽培中に土壌が流出してしまうことを防止する。
【０００４】
この植栽マットユニットによれば、土だけで栽培する場合に比較して、重量が３分の１程度になり、更に、根が伸び過ぎないために、植栽した樹木の高さも抑制される。また、僅かなスペースでも栽培できるので、屋上、ベランダ、玄関のようなところにも、植栽できる。
【先行技術文献】
【特許文献】
【０００５】
【特許文献１】実用新案登録第３１１６０９７号公報
【考案の概要】
【考案が解決しようとする課題】
【０００６】
しかし、特許文献１の植栽マットユニットの場合、表面層に軽量土壌が絡み込むようにして保持されているため、土壌自体の水分の保持能力が低く、頻繁に灌水しなければならないという問題があった。
【０００７】
本考案は上記問題点に鑑みてなされたものであり、適度な水分保持能力を有し、様々な場所において容易に植栽が可能な植栽マットユニットを提供することを目的としている。
【課題を解決するための手段】
【０００８】
（１）本考案は、表面側の土壌保持層、前記土壌保持層よりも背面側に位置する土壌流出防止層および水分保持層を有する層状のマットを成し、前記土壌保持層は、第１プラスチック繊維を３次元に絡み合わせて構成されており、前記土壌流出防止層は、前記第１プラスチック繊維よりも細い第２プラスチック繊維を３次元に絡み合わせることで、前記土壌保持層よりも肉薄に構成されており、前記水分保持層は、水分を含有可能な不織布によって構成されており、前記土壌保持層中に土壌が充填されることを特徴とする、植栽マットユニットである。
【０００９】
（２）本考案はまた、前記土壌保持層には、植物を植えるための凹部又は孔部が形成されていることを特徴とする、上記（１）に記載の植栽マットユニットである。
【００１０】
（３）本考案はまた、前記土壌保持層及び前記土壌流出防止層は、接着又は溶着によって結合されていることを特徴とする、上記（１）又は（２）に記載の植栽マットユニットである。
【００１１】
（４）本考案はまた、前記水分保持層はフェルトマットであることを特徴とする、上記（１）、（２）又は（３）に記載の植栽マットユニットである。
【００１２】
（５）本考案はまた、前記第１プラスチック繊維の太さは１５００〜３０００デニールであり、前記第２プラスチック繊維の太さは１０〜４０デニールであることを特徴とする、上記（１）乃至（４）のいずれかに記載の植栽マットユニットである。
【００１３】
（６）本考案はまた、前記第１プラスチック繊維の太さは７８０〜８２０デニールであることを特徴とする、上記（１）乃至（４）のいずれかに記載の植栽マットユニットである。
【００１４】
（７）本考案はまた、前記第１プラスチック繊維は、ポリエステル樹脂とＳＢＲ樹脂の混合樹脂により構成されていることを特徴とする、上記（６）に記載の植栽マットユニットである。
【００１５】
（８）本考案はまた、前記水分保持層は、係止片によって、前記土壌保持層または前記土壌流出防止層に結合されることを特徴とする、上記（１）乃至（７）のいずれかに記載の植栽マットユニットである。
【００１６】
（９）本考案はまた、前記土壌保持層の表面側に地被植物の層をさらに設けたことを特徴とする、上記（１）乃至（８）のいずれかに記載の植栽マットユニットである。
【００１７】
（１０）本考案はまた、前記地被植物は、芝生であることを特徴とする、上記（９）に記載の植栽マットユニットである。
【考案の効果】
【００１８】
本考案によれば、水分の保持能力が増大するので、様々な場所において容易に植物を栽培することが可能となる。
【図面の簡単な説明】
【００１９】
【図１】本考案の実施形態に係る植栽マットユニットの構成を示した側面図である。
【図２】同植栽マットユニットを用いた植栽手順を示した説明図である。
【図３】同植栽マットユニットの他の使用例を示す側面図である。
【図４】同植栽マットユニットの他の構成例を示す側面図である。
【考案を実施するための形態】
【００２０】
以下図面を参照しながら、本考案の実施形態に係る植栽マットユニットについて説明する。
【００２１】
図１に示されるように、植栽マットユニット１は、表面側（上側）に位置する土壌保持層１０、この土壌保持層１０よりも背面側（下側）に位置する土壌流出防止層２０、この土壌流出防止層２０よりも背面側に位置する水分保持層３０を有する層状のマットとなっている。
【００２２】
土壌保持層１０は、巻線状の第１プラスチック繊維を３次元に絡み合わせて構成されている。具体的に、第１プラスチック繊維は１５００〜３０００デニールの太さで、比重１．１以下、密度１５００ｇ/ｍ２以上の状態で絡み合っている。土壌保持層１０の厚みは、３ｃｍ以上５０ｃｍ以下であることが好ましく、特に好ましくは１０ｃｍ以内とする。この土壌保持層１０内には、十分な空隙が確保されるようになっており、その空隙中には、ピートモスなどの軽量土が充填・保持される。また、この空隙中に植物の根が容易に広がっていくので、植物が安定する。
【００２３】
土壌流出防止層２０は、第１プラスチック繊維よりも細い巻線状の第２プラスチック繊維が、３次元状に密に絡み合って構成されている。具体的に、第２プラスチック繊維は１０〜４０デニールの太さであり、比較的細い繊維が密に絡み合うことから、土壌が外部に流出することを抑制できる。土壌流出防止層２０は、土壌保持層１０よりも肉薄に構成される。土壌流出防止層２０の厚みは、１ｍｍ以上であって３０ｍｍ以下が好ましく、より好ましくは、１０ｍｍ以下とする。
【００２４】
なお、本実施形態では、第１プラスチック繊維、第２プラスチック繊維共に、その素材としてポリプロピレンが好適である。一方、ポリエチレン等の他の軽量のプラスチック繊維も使用できる。
【００２５】
また、第１プラスチック繊維および第２プラスチック繊維の素材として、ペットボトルを再生したポリエステル樹脂とＳＢＲ樹脂（スチレンブタジエンゴム）の混合樹脂を使用することもできる。このポリエステル樹脂とＳＢＲ樹脂の混合樹脂は、ポリエステル樹脂を８０重量％、ＳＢＲ樹脂を２０重量％の割合で混合したものが好適である。
【００２６】
また、第１プラスチック繊維の太さは１５００〜３０００デニールが好適であるが、この範囲に限定されるものではなく、素材に応じた適宜の太さを採用することができる。例えば、第１プラスチック繊維の素材としてポリエステル樹脂とＳＢＲ樹脂の混合樹脂を使用した場合、第１プラスチック繊維の太さは７８０〜８２０デニールが好適であり、密度９００〜１１００ｇ/ｍ２で絡み合わせることが好ましい。
【００２７】
土壌保持層１０及び土壌流出防止層２０は、相互に接着又は溶着によって結合されている。本実施形態では、両者を加熱して部分的に溶着させることで、予め一体化している。
【００２８】
水分保持層３０は、水分を含有可能な不織布によって構成されており、ここではフェルトマットとなっている。フェルトマットは、目が細かい上に、耐久性が強く、水分保持量も多いので好適である。なお、水分保持層３０の厚みは、土壌保持層１０よりも薄く設定され、具体的には３ｃｍ以下、ここでは約１ｃｍのフェルトマットが用いられている。不織布は目が細かいことから、水分を含有するだけでなく、土壌保持層１０からの土壌の流出を防ぐ機能も併せ持つことになる。この水分保持層３０は、土壌保持層１０および土壌流出防止層２０に対して別体として設けられており、土壌流出防止層２０に対して係止片３２によって固定される。
【００２９】
この係止片３２は、頭部３２Ａ、フィラメント部３２Ｂ及び横棒部３２Ｃを有する全体Ｈ形状の結合具である。この係止片３２は、商品タグを衣類に結合する場合等に用いられることが多く、いわゆるタグガン（図示省略）によって、水分保持層３０を貫通させて打ち込むことが可能となっている。この係止片３２を複数箇所に満遍なく打ち込むことで、水分保持層３０と土壌流出防止層２０が完全に一体化する。
【００３０】
土壌保持層１０は、その略中心に、植物を植えるための凹部４０が形成されている。本実施形態の凹部４０は、土壌保持層１０における非貫通の凹みとして形成されている。なお、本考案は凹部４０に限定されず、土壌保持層１０を貫通し、土壌流出防止層２０に到達するような孔部とすることも可能である。
【００３１】
次に、この植栽マットユニット１を用いた植栽手順について説明する。
【００３２】
まず、図２（Ａ）に示されるように、予め一体化されている土壌流出防止層２０及び土壌保持層１０を所定の大きさに切断し、打ち抜き又はサンダー等によって所定の位置に凹部４０を形成する。次に、土壌流出防止層２０に対して、係止片３２を利用して水分保持層３０を固定する。なお、凹部４０の形成前に、予め水分保持層３０を固定しておいてもよい。
【００３３】
水分保持層３０を固定した後に、土壌保持層１０にピートモス等の軽量土を充填する。この際、凹部４０の近辺に十分に土を充填する。ピートモスを詰める際には、マット基盤を軽く叩くか、刷り込むようにする。このとき、土壌保持層１０の下側の土壌流出防止層２０および水分保持層３０によって土壌がこぼれ落ちることが抑制されるため、土壌保持層１０に十分な量の軽量土を充填することができる。
【００３４】
次に、図２（Ｂ）に示されるように、凹部４０内に樹木を植え込む。この際、凹部４０の側面から土壌保持層１０内に樹木の根を押し込むようにする。同時に、凹部４０内の隙間に、更に軽量土壌を充填することで、植栽が完了する。その後は、必要に応じて日陰で養生するか、灌水施設でしばらく灌水し、安定化するのを待つ。
【００３５】
本実施形態の植栽マットユニット１によれば、不織布によって構成される背面側の水分保持層３０が、灌水された水を長期的に保持することができるので、乾燥しやすい環境においても、植物に対して継続的に水分を供給することが可能となる。また、土壌保持層１０の背面側に土壌流出防止層２０および水分保持層３０が配置されるので、背面側からの土壌の流出が回避され、植物を安定して生育させることが可能となる。さらに、植栽マットユニット１は、十分な水分保持能力を有しながらも軽量に構成されているため、設置場所の構造や強度に対する制限が少ないものとなっている。
【００３６】
従って、本実施形態の植栽マットユニット１によれば、頻繁に手入れをしなくとも、各種建造物の屋上やベランダなどの様々な場所において容易に植物を生育させることが可能となっている。このため、従来以上に都市部の緑化を推進し、都市環境の改善に貢献することができる。
【００３７】
なお、本実施形態では、植栽マットユニット１によって樹木を生育させる場合の一例を示したが、植栽マットユニット１によれば、芝生などの地被植物も生育させることができる。例えば、図３（Ａ）または（Ｂ）に示されるように、ピートモス等の軽量土を充填した土壌保持層１０の表面（上面）に、マット状の芝生５０を載せて適宜に灌水することで、芝生５０が土壌保持層１０内に根を張り、芝生５０を生育させることが可能となる。また、同様の方法で、コケ類やツタ類、トクサ、タマリュウなどの地被植物も生育させることができる。
【００３８】
このような地被植物を生育させる場合、図３（Ａ）に示されるように、土壌保持層１０に凹部４０を形成せずに、地被植物のみを土壌保持層１０の表面において生育させるようにしてもよいし、図３（Ｂ）に示されるように、凹部４０内に植え込んだ樹木等の周囲において地被植物を生育させるようにしてもよい。なお、このようにして土壌保持層１０の表面に地被植物を生育させ、土壌保持層１０の表面側に地被植物の層を生成することによって、風雨や流水などによる表面側からの土壌の流出を抑制することが可能となる。
【００３９】
また、本実施形態の植栽マットユニット１では、土壌流出防止層２０の背面側（下側）に水分保持層３０を配置しているが、図４に示されるように、土壌保持層１０と土壌流出防止層２０の間に水分保持層３０を配置するようにしてもよい。
【００４０】
この場合、同図に示されるように、例えば係止片３２によって、土壌保持層１０とは別体に構成された水分保持層３０および土壌流出防止層２０を、土壌保持層１０に固定することができる。また、土壌保持層１０の背面側（下側）内部に不織布などを充填して水分保持層３０を形成した上で、土壌保持層１０および土壌流出防止層２０を接着又は溶着するようにしてもよい。
【００４１】
このように、比較的強度および剛性の高い土壌流出防止層２０を水分保持層３０の外側に配置することで、植栽マットユニット１の設置や移動の際の取扱を容易化するとともに、水分保持層３０の損耗や脱落を防ぐことができる。
【産業上の利用可能性】
【００４２】
本考案は、屋上やベランダ、エントランスなど、土の使用が困難な場所を緑化する際に広く適用できる。
【符号の説明】
【００４３】
１        植栽マットユニット
１０      土壌保持層
２０      土壌流出防止層
３０      水分保持層
３２      係止片
４０      凹部
５０      芝生
【図１】
0003150666.tif 000003
【図２】
0003150666.tif 000004
【図３】
0003150666.tif 000005
【図４】
0003150666.tif 000006